(57)【要約】【課題】  施工性及び分解性に優れ、雨漏りを確実に防止でき、尚且つ屋根パネルの製作の容易な屋根の提供。【解決手段】  上面が開口した溝形の屋根パネル取付部材２ｂと、屋根パネル取付部材２ｂ，２ｂ間に前後方向に並べて配設した屋根パネル３とを備え、屋根パネル取付部材２ｂは、屋根パネルの受け部４を内側に向けて下方傾斜して有し、屋根パネル３は、金属板を折り曲げて形成したものであって、山折部５と谷折部６を左右方向に交互に有し、且つ両側縁部に屋根パネル取付部材２ｂの受け部４に載置する載置部７を下方傾斜して有し、屋根パネルの前縁部３ａを前方に位置する屋根パネルの後縁部３ｂ上に重合し、載置部７を屋根パネル取付部材２ｂの受け部４に載置してネジ止めしてある。【選択図】      図１
2010265630.tif 000002
【特許請求の範囲】
【請求項１】
上面が開口した溝形の屋根パネル取付部材と、屋根パネル取付部材間に前後方向に並べて配設した屋根パネルとを備え、屋根パネル取付部材は、屋根パネルの受け部を内側に向けて下方傾斜して有し、屋根パネルは、金属板を折り曲げて形成したものであって、山折部と谷折部を左右方向に交互に有し、且つ両側縁部に屋根パネル取付部材の受け部に載置する載置部を下方傾斜して有し、屋根パネルの前縁部を前方に位置する屋根パネルの後縁部上に重合し、載置部を屋根パネル取付部材の受け部に載置してネジ止めしてあることを特徴とする屋根。
【請求項２】
上面が開口した溝形の屋根パネル取付部材と、屋根パネル取付部材間に前後方向に並べて配設した屋根パネルとを備え、屋根パネル取付部材は、屋根パネルの受け部を内側に向けて下方傾斜して有し、屋根パネルは、水平部と左右の起立部を有し、且つ両側縁部に屋根パネル取付部材の受け部に載置する載置部を下方傾斜して有し、左右の起立部の間隔が前側に向かうにつれて次第に狭くなっており、屋根パネルの前縁部を前方に位置する屋根パネルの後縁部上に重合し、載置部を屋根パネル取付部材の受け部に載置してネジ止めしてあることを特徴とする屋根。
【請求項３】
屋根パネル取付部材の下面に屋根支持材への取付部を側方に張り出して有することを特徴とする請求項１又は２記載の屋根。
【発明の詳細な説明】
【技術分野】
【０００１】
本発明は、金属製の屋根パネルを用いる屋根に関する。
【背景技術】
【０００２】
カーポートやサイクルポート等の簡易建物の屋根として、鋼板を凹凸状に曲げて形成した折板を使用するものがある。折板は、ロールフォーミングにより屋根の流れ方向に継ぎ目の無い長いものに成形され、重量もかなりあるため、高所に折板を持ち上げて屋根のフレームに固定する作業は大変重労働であった。また、建物を移設する場合には、屋根をいったん外して再度組み立てる必要があるが、一般の人がそうした作業を行うのは困難であった。
【０００３】
屋根の施工を容易にするため、屋根パネルを前後方向に適当な長さで分割し、前後に隣接するパネルの端部を重ね合わせることが考えられるが、図８（ａ）に示すように、水平部９０と突部９１を有する屋根パネル９２や、図８（ｂ）に示すような波状に曲げた屋根パネル９２を重ね合わせると、上下の屋根パネル９２，９２間に隙間９３ができ、その隙間から雨漏りするおそれがある。
【０００４】
特許文献１には、上縁の左右に長手方向に沿う受部分を有する上面が開放した溝状の垂木と、垂木間に取付ける屋根パネルとを有し、屋根パネルは平面視正方形で中央部が盛り上がった箱型に形成され、前縁部に第１連結部を、後縁部に第２連結部を有すると共に、左右の側縁に垂木の受部分に止着される係止部を設けてあり、前後の屋根パネルを第１連結部と第２連結部とで接続したものが開示されている。この場合、屋根パネルの前後の縁部に第１連結部と第２連結部を設ける必要があるなど、屋根パネルの形状が非常に複雑になり、屋根パネルの製作に多くの手間とコストが掛かる。
【先行技術文献】
【特許文献】
【０００５】
【特許文献１】特開昭５９−３１３５２号公報
【発明の概要】
【発明が解決しようとする課題】
【０００６】
本発明は以上に述べた実情に鑑み、施工性及び分解性に優れ、雨漏りを確実に防止でき、尚且つ屋根パネルの製作の容易な屋根の提供を目的とする。
【課題を解決するための手段】
【０００７】
上記の課題を達成するために請求項１記載の発明による屋根は、上面が開口した溝形の屋根パネル取付部材と、屋根パネル取付部材間に前後方向に並べて配設した屋根パネルとを備え、屋根パネル取付部材は、屋根パネルの受け部を内側に向けて下方傾斜して有し、屋根パネルは、金属板を折り曲げて形成したものであって、山折部と谷折部を左右方向に交互に有し、且つ両側縁部に屋根パネル取付部材の受け部に載置する載置部を下方傾斜して有し、屋根パネルの前縁部を前方に位置する屋根パネルの後縁部上に重合し、載置部を屋根パネル取付部材の受け部に載置してネジ止めしてあることを特徴とする。
【０００８】
請求項２記載の発明による屋根は、上面が開口した溝形の屋根パネル取付部材と、屋根パネル取付部材間に前後方向に並べて配設した屋根パネルとを備え、屋根パネル取付部材は、屋根パネルの受け部を内側に向けて下方傾斜して有し、屋根パネルは、水平部と左右の起立部を有し、且つ両側縁部に屋根パネル取付部材の受け部に載置する載置部を下方傾斜して有し、左右の起立部の間隔が前側に向かうにつれて次第に狭くなっており、屋根パネルの前縁部を前方に位置する屋根パネルの後縁部上に重合し、載置部を屋根パネル取付部材の受け部に載置してネジ止めしてあることを特徴とする。
【０００９】
請求項３記載の発明により屋根は、請求項１又は２記載の発明の構成に加え、屋根パネル取付部材の下面に屋根支持材への取付部を側方に張り出して有することを特徴とする。
【発明の効果】
【００１０】
請求項１記載の発明による屋根は、屋根パネルを山折部と谷折部を左右方向に交互に有し、且つ両側縁部に屋根パネル取付部材の受け部に載置する載置部を下方傾斜して有する形状としたことで、屋根パネルの前縁部を前方に位置する屋根パネルの後縁部上に重合しても隙間が開かず、前後の屋根パネル間からの雨漏りを防止できる。しかも屋根パネルは、曲げ加工やプレス成型のみで簡単に安価に製作できる。溝形の屋根パネル取付部材に屋根パネルの受け部が内側に向けて下方傾斜して設けてあり、屋根パネルの載置部も下方傾斜しているため、屋根パネル取付部材と屋根パネルとの間から雨水が浸入するのを防止でき、左右の屋根パネル間の雨水を屋根パネル取付部材を通じて排水できる。屋根パネルを前後方向に複数に分割し、屋根パネルの載置部を屋根パネル取付部材の受け部に載置してネジ止めするようにしたので、屋根パネルの敷設作業及び屋根の分解作業を誰にでも容易に行える。
【００１１】
請求項２記載の発明による屋根は、屋根パネルが水平部と左右の起立部を有し、且つ両側縁部に屋根パネル取付部材の受け部に載置する載置部を下方傾斜して有し、左右の起立部の間隔が前側に向かうにつれて次第に狭くなっているため、屋根パネルの前縁部を前方に位置する屋根パネルの後縁部上に重合しても隙間が開かず、前後の屋根パネル間からの雨漏りを防止できる。しかも屋根パネルは、曲げ加工やプレス成型のみで簡単に安価に製作できる。溝形の屋根パネル取付部材に屋根パネルの受け部が内側に向けて下方傾斜して設けてあり、屋根パネルの載置部も下方傾斜しているため、屋根パネル取付部材と屋根パネルとの間から雨水が浸入するのを防止でき、左右の屋根パネル間の雨水を屋根パネル取付部材を通じて排水できる。屋根パネルを前後方向に複数に分割し、屋根パネルの載置部を屋根パネル取付部材の受け部に載置してネジ止めするようにしたので、屋根パネルの敷設作業及び屋根の分解作業を誰にでも容易に行える。
【００１２】
請求項３記載の発明による屋根は、屋根パネル取付部材の下面に屋根支持材への取付部を側方に張り出して有するため、その張り出し部分で屋根支持材にネジ止めすることで屋根パネル取付部材の下面に孔を明ける必要がないため、屋根パネル取付部材の下面から雨漏りすることがない。
【図面の簡単な説明】
【００１３】
【図１】（ａ）は図３のＡ−Ａ断面図であり、（ｂ）は図３のＢ−Ｂ断面図である。
【図２】図３のＣ−Ｃ断面図である。
【図３】図４のＸ部を拡大して示す平面図である。
【図４】簡易建物の平面図である。
【図５】簡易建物の側面図である。
【図６】屋根パネルの他の実施形態を示す平面図である。
【図７】（ａ）は図６のＡ−Ａ断面図であり、（ｂ）は図６のＢ−Ｂ断面図である。
【図８】従来の屋根パネルを重合した状態を示す縦断面図である。
【発明を実施するための形態】
【００１４】
以下、本発明の実施の形態を図面に基づいて説明する。図４は、カーポートやサイクルポート等として用いられる簡易建物の平面図であり、図５は同簡易建物の側面図である。この簡易建物は、四隅に配置した支柱１２の上端部に梁１１ａ，１１ｂが左右方向及び前後方向に架設してあり、左右の梁１１ｂ，１１ｂ間に横桟１３が前後方向に間隔をおいて複数本架設してあり、梁１１ａ，１１ｂ及び横桟１３の上に屋根１が設けてある。屋根１は、図５に示すように、前方に向かって下り勾配で傾斜している。
【００１５】
屋根１は、図３，４に示すように、左右方向に等間隔をおいて前後方向に配置した屋根パネル取付部材２ａ，２ｂと、屋根パネル取付部材２ａ，２ｂ間及び２ｂ，２ｂ間に前後方向に並べて配置した屋根パネル３とで構成されている。
中間の屋根パネル取付部材２ｂは、図１（ａ）に示すように、底板１４と左右の側板１５，１５とで上面が開口した溝形に形成され、側板１５の上縁部を溝の内側に向けて下方傾斜するように折り曲げて屋根パネル３の受け部４を設けてある。屋根パネル取付部材２ｂは、厚さ１ｍｍのステンレス板を折り曲げて形成している。屋根パネル取付部材２ｂの前後両端部には、底板１４の下面にフラットバー１０が両側に張り出すように設けてあり、フラットバー１０は前後の梁１１ａ上に載置されて左右両端部をネジ１６で固定してある。受け部４には、前後方向に所定の間隔をおいてインサートナット１７が設けてある。
屋根１の左右両端に位置する屋根パネル取付部材２ａは、図１（ｂ）に示すように、底板１４と側板１５とで断面Ｌ形に形成され、側壁１５の上縁部を外側に下方傾斜するように折り曲げて屋根パネル３の受け部４を設けてある。この屋根パネル取付部材２ａも、中間の屋根パネル取付部材２ｂと同様に下面にフラットバー１０が取り付けられ、受け部４にインサートナット１７を設けている。
【００１６】
屋根パネル３は、厚さ１ｍｍのステンレス板を曲げ加工して形成したものであって、図１に示すように、山折部５と谷折部６とを左右方向に交互に有する断面略Ｗ字状となっており、両側の山折部５，５と連続して載置部７，７が下方傾斜して設けてあり、載置部７，７を屋根パネル取付部材２ａ，２ｂの受け部４，４上に載置してネジ１８で固定している。屋根パネル３は、図３に示すように、前縁部３ａを前方に位置する屋根パネル３の後縁部３ｂ上に重合させている。屋根パネル３を、上記のように山折部５と谷折部６を交互に有する形状としたことで、図２に示すように、前後に隣接する屋根パネル３の前縁部３ａと後縁部３ｂを隙間が開かないように密着して重合でき、前後の屋根パネル３，３間からの雨漏りを防止できる。なお屋根パネル３は、プレス成型により製作することもできる。
【００１７】
次に、本屋根１の施工手順を説明する。各屋根パネル取付部材２ａ，２ｂを梁１１ａ，１１ｂ上の所定の位置に配置し、ネジ１６で固定する。その後、屋根パネル取付部材２ａ，２ｂ間、２ｂ，２ｂ間に屋根パネル３を前側から順番に取付ける。このとき、屋根パネル３の前縁部３ａを前方に位置する屋根パネル３の後縁部３ｂ上に重合するように配置する。屋根パネル３の取付けは、両側の載置部７，７を屋根パネル取付部材２ａ，２ｂの受け部４に載置し、載置部７に予め形成した貫通孔に挿通したネジ１８を受け部４のインサートナット１７に捩じ込んで行う。
【００１８】
本屋根１は以上に述べたように、屋根パネル３を前後方向に適当な長さに分断し、前後の縁部３ａ，３ｂを重合させて取付けるようにしたこと、及び屋根パネル３の両側縁部に形成した載置部７，７を屋根パネル取付部材２ａ，２ｂの受け部４に載置してネジ１８で固定するようにしたことにより、屋根パネル３の敷設作業が誰にでも容易に行えるようになった。簡易建物を移設したりする際に、屋根パネル３を取外し、屋根１を分解する作業も容易に行うことができる。屋根パネル３を、左右方向に山折部５と谷折部６を交互に有する形状としたことで、図２に示すように、重合した屋根パネル３，３の後縁部３ｂと前縁部３ａ間に隙間が開かず、前後の屋根パネル３，３間からの雨漏りを防止することができ、しかも屋根パネル３は曲げ加工やプレス成型のみで簡単に安価に製作できる。また図１，２に示すように、中間の屋根パネル取付部材２ｂが溝形に形成されると共に、屋根パネル３の受け部４が内側に向けて下方傾斜して設けてあり、屋根パネル３の載置部４も下方傾斜しているため、屋根パネル取付部材２ｂと屋根パネル３との間から雨水が浸入するのを防止でき、左右の屋根パネル３，３間の雨水を屋根パネル取付部材２ｂを通じて排水できる。さらに、屋根パネル取付部材２ａ，２ｂの下面にフラットバー１０を側方に張り出すように設け、フラットバー１０の端部をネジ１６で梁１１ａ，１１ｂに固定するようにし、屋根パネル取付部材２ａ，２ｂの下面に孔を無くしたので、屋根パネル取付部材２ａ，２ｂの下面から雨漏りすることもない。また本屋根１は、下から見ると屋根パネル３の取付けネジ１８が見えないので、意匠性が良い。さらに、隣り合う屋根パネル取付部材２ａ,２ｂ及び２ｂ，２ｂの受け部４，４間にまたがるようにして、ソーラーパネル等の金具を取付けることもできる。
【００１９】
図６，７は、屋根パネル３の他の実施形態を示している。屋根パネル取付部材２ａ，２ｂの形態、屋根パネル３の取付け方は、上述の実施形態のものと同様である。
本実施形態の屋根パネル３は、図７（ａ）に示すように、水平部８と左右の起立部９，９とを有する断面略上向きコ字状となっており、左右の起立部９，９の上端部を外側に下方傾斜するように折り曲げて載置部７，７を設けてある。左右の起立部９，９は、図６に示すように、平面視で後側から前側にかけて板厚分だけ内側に入り込むように僅かに傾斜しており、そのため屋根パネル３の前縁における左右の起立部９，９の間隔Ｗ１は後縁における左右の起立部９，９の間隔Ｗ２より若干狭くなっている。このように形成した屋根パネル３の前縁部３ａを、前方に位置する屋根パネル３の後縁部３ｂ上に重合させると、図７（ｂ）に示すように、両屋根パネル３，３間に隙間が開かず、よって前後の屋根パネル３，３間からの雨漏りを防止することができる。この屋根パネル３は、プレス成型により簡単に製作することができる。
【００２０】
本発明は以上に述べた実施形態に限定されない。前後の屋根パネルの縁部を重合させるにあたり、屋根パネル間に止水テープ等を介在させてもよい。屋根パネルの大きさ、形状（山折部と谷折部の角度、数等）、材質は、適宜変更することができる。
【符号の説明】
【００２１】
１  屋根
２ａ，２ｂ  屋根パネル取付部材
３  屋根パネル
４  受け部
５  山折部
６  谷折部
７  載置部
８  水平部
９  起立部
１０  フラットバー（取付部）
１１ａ，１１ｂ  梁（屋根支持材）
【図１】
2010265630.tif 000003
【図２】
2010265630.tif 000004
【図３】
2010265630.tif 000005
【図４】
2010265630.tif 000006
【図５】
2010265630.tif 000007
【図６】
2010265630.tif 000008
【図７】
2010265630.tif 000009
【図８】
2010265630.tif 000010